(57)【要約】      （修正有）【課題】漏電による電気火災の発生を未然に防止できる埋め込み型コンセントを提供する。【解決手段】電源表示用のＬＥＤ灯付き、漏電による火災事故防止のための許容電流１５Ａ（アンペア）の埋め込み型コンセントの構造は、埋め込み型一口用コンセントもしくは埋め込み型二口用コンセントを活用し、コンセントの裏面（背面）に単五電池ボックスを設置する。更に、単五電池ボックスの端子に線の太さ１．６ｍｍのＶＡケーブル線を接続するために厚さ０．２〜０．４ｍｍ程度の鋼板に接続するための加工をした端子を取付ける。【選択図】図７
0003211706.tif 000002
【実用新案登録請求の範囲】
【請求項１】
電源表示用のＬＥＤ灯付き、許容電流１５Ａ（アンペア）埋め込み型コンセントの構造は、埋め込み型一口用コンセント、もしくは埋め込み型二口用コンセントを活用した埋め込み型コンセント。
【請求項２】
電源表示用のＬＥＤ灯付き、許容電流１５Ａ（アンペア）埋め込み型コンセントの構造は、基本構造のコンセントの裏面（背面）に単五電池ボックスを設置することを特徴とする請求項１記載の埋め込み型コンセント。
【請求項３】
電源表示用のＬＥＤ灯付き、許容電流１５Ａ（アンペア）埋め込み型コンセントの構造は、単五電池ボックスの端子に線の太さ１．６ｍｍのＶＡケーブル線を接続するために厚さ０．２〜０．４ｍｍ程度の鋼板にネジを付けの加工をし、端子を取付けたことを特徴とする請求項１記載の埋め込み型コンセント。
【請求項４】
電源表示用のＬＥＤ灯付き、許容電流１５Ａ（アンペア）埋め込み型コンセントの構造は、単五電池ボックスに１５Ａ（アンペア）の管ヒューズを取付けたことを特徴とする請求項１記載の埋め込み型コンセント。
【請求項５】
電源表示用のＬＥＤ灯付き、許容電流１５Ａ（アンペア）埋め込み型コンセントの構造は、埋め込み型コンセントの裏面（背面）に、管ヒューズを設置した単五電池ボックスを線の太さ直径１．６ｍｍのＶＡケーブル線を管ヒューズを通して配線し、金属製の同コンセント枠の右側上部に電源表示用の赤色ＬＥＤ灯の直径２ｍｍ程度の穴を開けて、ここに赤色ＬＥＤを取付け、さらにＬＥＤの二本線の内一本線に抵抗器５０ｋΩを通して、この中に絶縁用のビニールカバーを通し、同コンセントの電源端子に接続して、もう一本線は絶縁用のビニールカバーを通し、直接同コンセントの電源端子に接続したことを特徴とする請求項１記載の埋め込み型コンセント。
【考案の詳細な説明】
【考案の概要】
【考案が解決しようとする課題】
【０００１】  本件考案（発明）は、電源表示用のＬＥＤ灯付き、許容電流１５Ａ（アンペア）埋め込み型コンセントの開発目的は、近年電気容量の大きい電気機器が普及し、漏電による電気火災が発生している現状などがあることから、これらの問題に取組む必要があります。
この漏電による電気火災の防止、これらの問題を解決するために許容電流１５Ａ（アンペア）の埋め込み型コンセントを提供しようとするものです。
一般家庭の電源部には、電力会社から大元の電源ブレイカー（切断機）から小回路の電源ブレカーを通して各回路に電源が通っています。
しかし、一般家庭の小回路電源ブレカーの許容電流が２０Ａ（アンペア）となっており、５Ａ（アンペア）の電流をオーバーしないと電源が切れないシステムになっております。
ここが、リスクとなっています。
しかし、埋め込み型コンセント自体の規格許容電流が１５Ａ（アンペア）となっているところから、その差で５Ａの電流がオーバーして初めて電源が切れることになります。
その間、コンセントと器具から差し込んだプラグとの間に過大電流のために経過時間と共に、じわじわと接触間に抵抗値ＲΩ（オーム）が生じ発熱の現象が現れます。
もしも５Ａのオーバー電流が流れることによってコンセントと差し込みプラグからの間の発熱量Ｉ（Ａ）×Ｉ（Ａ）×Ｒ（Ω）＝Ｗ（Ｊ、ジュウール）が生じ、さらに総合発熱量Ｗ（Ｊ）×ｈ（経過時間、ｓｅｃ、秒）＝Ｚ（Ｊ、ジュウール）が生じることによって絶縁部分が発熱により、焼け切るような状況が生じその結果，漏電による電気火災事故が発生することになります。
２０Ａ（アンペア）の規格の埋め込み型コンセントが、開発されてなく、また市販されていない以上、早急に対応できるコンセントを開発する必要があります。
以上のことから判断して、これらの矛盾を解消するために、本件考案（発明）の電源表示用ＬＥＤ灯付きの１５Ａ（アンペア）管ヒューズ付き許容電流１５Ａ（アンペア）埋め込み型コンセントを提供し，これによって問題を解決します。
【考案の効果】
【０００２】  本件考案（発明）の電源表示用のＬＥＤ灯付き、許容電流１５Ａ（アンペア）管ヒューズ付きの埋め込み型コンセント型コンセントの開発したことによって、一般家庭などの漏電による電気火災の発生を抑制することが期待できますし、また無くすことができます。
火災事故による影響は、一瞬にして築き上げてきた全財産を灰にしてしまう関係から、私たちの人生を大きく影響したりします。
このようなことを無くすことが重要だと思います。
【技術分野】
【０００３】  本件考案（発明）は、電源表示用のＬＥＤ灯付き、１５Ａ（アンペア）管ヒューズ付き許容電流１５Ａ（アンペア）埋め込み型コンセントの機器構造に関するものである。
【背景技術】
【０００４】  最近の一般市民生活の近代化によって電気容量の大きい電気機器が普及している現状があります。
そのためか、原因の中に漏電による電気火災が発生している現状などがマスコミ、新聞などで報じられることがあります。
原因の一つにコンセントからの漏電による火災事故が取り上げらています。
電力供給側の小回路電源ブレカー（切断機）と埋め込み型コンセントの間に基本的な矛盾をしている問題があるからです。
それは、小回路電源ブレカー（切断機）の最大電流が２０Ａ（アンペア）であり、埋め込み型コンセントの許容電流が１５Ａ（アンペア）とそれぞれ異なっているからです。
現在、小回路電源ブレカー（切断機）が最大電流１５Ａ（アンペア）が市販されていない現状があります。
この問題に取組む必要性を認めて、許容電流１５Ａ（アンペア）埋め込み型コンセントの開発をし、問題を解決しようとするものです。【０００５】  本件考案（発明）の電源表示用のＬＥＤ灯付き、許容電流１５Ａ（アンペア）埋め込み型コンセントの機器の製作には、現在市販されているパーツを有効活用します。
まず始めに市販されている単五電池ボックスを利用します。
この単五電池ボックスの端子に、厚さ０．２〜０．４ｍｍ程度の薄い鋼板を加工して、配線接続をするためのワシャー付きのネジを取付けをします。
鋼板を幅を５ｍｍ程度、長さを１．５ｃｍ程度の大きさに加工します。
そして、単五電池ボックスの両端子に、加工したネジ付き鋼板を、それぞれハンダ付け作業をして接続をします。
（参考写真４〜７、１１参照）（図面６〜７参照）【０００６】  次に前記「０００５」で製作した埋め込み型コンセントに、一口用、二口用がありますが双方とも同じように活用してコンセントの裏面（背面）の中央部に単五電池ボックスを接着の強いシリコン接着剤で取付けをします。
また同コンセントには、コンセントボックスに取付けるための取付け枠が付属しています。
埋め込み型一口用、二口用コンセントの裏面（背面）の中央部に単五電池ボックスを接着の強いシリコン接着剤で取付けをします。
シリコン接着剤で接着した後、約半日で乾燥して接着が完了します。
かなり強力に接着されています。
（参考写真１〜２、１２〜１３，１６〜２０参照）（図面１〜４参照）【０００７】  次に前記「０００６」で製作した埋め込み型コンセントと単五電池ボックスとの間に線の太さ１．６ｍｍのＶＡケーブル線で許容電流１５Ａ（アンペア）管ヒューズを通しての配線接続をします。
ケーブル線の色が白色と黒色になっていますが、白色の線側を管ヒューズの単五電池ボックスの端子に接続します。
コンセントの接続端子は、裏面（背面）左右にそれぞれＶＡケーブル線を差し込めば接続ができるような穴が開けてあります。
そして電源側の線と接続ができるようにＶＡケーブル線の線をビニールをスリーブ管で接続できるように２ｃｍ程度剥いでおきます。
（参考写真１４，２０参照）（図面１１〜１２参照）【０００８】  次に前記「０００７」で製作した埋め込み型一口用、二口用コンセントの単五電池ボックスの中に許容電流１５Ａ（アンペア）の管ヒューズを差し込んでおきます。
これで、１５Ａ（アンペア）管ヒューズ付きの許容電流１５Ａ（アンペア）埋め込み型コンセントは、完成しました。
（参考写真１４、２０参照）（図面５，１１〜１２参照）【０００９】  次に前記「０００８」で製作した，１５Ａ（アンペア）管ヒューズ付きの許容電流１５Ａ（アンペア）埋め込み型コンセントを，実際に取付けて確認してみます。
まず，埋め込み型コンセントボックスを木ねじなどで，取付けをし「０００８」で製作した，コンセントを電源側のＶＡケーブル線を圧着ペンチで，スリーブ管を通して電源側と配線接続します。
そして，配線接続したところをビニールテープなどで巻いて絶縁をし，付属のネジでコンセントを取付けします。
（参考写真８、１４〜１６参照）（図面８、１１〜１２参照）【００１０】  次に前記「０００９」での取付け完了した後に，同じく付属のネジでコンセント枠の取付けをします。
そして、コンセント枠に加工したプレートカバーを填め込んで取付けをします。
以上でコンセントの取付け作業を完了します。
（参考写真９〜１０、１６〜１７参照）（図面９〜１０参照）【００１１】  次に前記「００１０」で完成した１５Ａ（アンペア）管ヒューズ付きの許容電流１５Ａ（アンペア）埋め込み型コンセントに一般家庭の交流電源１００Ｖを通して確認をします。
実験では、２５０Ｗ（ワット）ハロゲン投光器を同コンセントにプラグを接続をしました。
スイッチを入れると明々と電気容量２５０Ｗ（ワット）ハロゲン投光器が点灯しました。
埋め込み型コンセントの規格が１５Ａ（アンペア）１２５Ｖとなっています。
もし電気容量が１５００Ｗ以上か、もしくは多用口の延長コードを通じて、合計の電気容量が１５００Ｗ以上の規格を超えれば埋め込み型コンセントの１５Ａ（アンペア）管ヒューズが切断して、１００Ｖ電源が埋め込み型コンセントの元から切断します。
ですから安全に電気を使用できます。
ある電気工事関係者から、電気工事の際の現場より埋め込み型コンセントが、黒く焼けこげて絶縁が破壊されているのを、数件発見していることの実態などを耳にし、電気火災事故直前の状態であったとのことでした。
漏電による電気火災事故を、本件考案（発明）の許容電流１５Ａ（アンペア）管ヒューズ付きの埋め込み型コンセントによりこれで抑制、解消することができます。
（参考写真３，５〜７，１７〜１９参照）【００１２】  電源表示用のＬＥＤ灯付き、新たに開発したもので電源表示用のＬＥＤ灯を１５Ａ（アンペア）管ヒューズ付きの許容電流１５Ａ（アンペア）埋め込み型コンセントに取付けました。
コンセントに電源が通じているときは、電源表示用ＬＥＤ灯が点灯し、もし管ヒューズが切断されている場合は、消灯しているとの表示があれば、大変便利との発案からきたものです。
まず金属製のコンセントの枠の右側上部にＬＥＤ灯の穴、直径（２ｍｍ程度）をドリルなどを使用して開けます。
そして開けた穴にＬＥＤ灯を差し込みシリコン接着剤で接着します。
そこで、ＬＥＤ灯の二本線の一本には抵抗器５０ｋΩ（１／４〜１／６ｗ（ワット））の抵抗器を直列に接続しＶＡケーブル線にハンダ付けし、絶縁用のビニールカバーを通して交流１００Ｖのコンセントの接続端子に接続します。
他の一本は、交流１００Ｖのコンセントの接続端子に直接ＶＡケーブル線にハンダ付けをして、絶縁用のビニールカバーを通してコンセントの接続端子に接続をします。
コンセントにプレートを取付ける前に、電源表示用のＬＥＤ灯が分かるために同プレートにＬＥＤ灯の穴、直径（２ｍｍ程度）をドリルなどを使用して開けます。
電源表示用の電子回路は、交流電源を通して点灯することを実験で確認しています。
ＬＥＤ灯は、ダイオードですから電源は直流でないと動作が、だめではないかと思いがちですが、実は交流電源でも大丈夫です。
関西から西の地域では、交流電源が６０ヘルツで１秒間でプラス、マイナスが６０回変化しＬＥＤ灯は、１秒間に６０回点滅を繰り返していることになります。
不思議に思われるかも知れませが、ダイオードのＬＥＤの電源を交流で使用しても大丈夫です。
人間の目には、残光効果がありますので連続して点灯の状態として見えるからです。
現在では、コンセントから供給される電源は交流です。
しかし電化製品の全てが、直流電源で稼働しています。
これは、一般家庭の電化製品は、ほとんどが半導体であるトランジスターとかＩＣ、整流器などなどが使用されているからです。
したがって交流電源をＡＣ（交流）アダプターで直流電源に変換してから一般家庭の電化製品を稼働させています。
交流電源から直流電源に変換するために、ＡＣ（交流）アダプターなどの機器を使用しますが、ここで問題になるのが効率の問題になります。
変換効率が、おおむね９５％ですから５パーセントのエネルギー損失を生じてことになります。
発明家のエジソンと弟弟子のテスラーが、一時、直流発電か、交流発電かを争った時代がありましたが、このことを思えばエジソンの考えも正かったかも知れません。
（参考写真９〜１０、１６〜１７、２１〜２５参照）（電子回路図参照）
【図面の簡単な説明】
【００１３】
【図１】：この図１は、埋め込み型一口用コンセントの状況のもので、コンセントに取り付けるための鋼板の枠が付属している図面です。
【図２】：この図２は、埋め込み型二口用コンセントの状況のもので、コンセントに取り付けるための鋼板の枠が付属している図面です。
【図３】：この図３は、埋め込み型一口用コンセントの裏面（背面）の状況の図面です。
【図４】：この図４は、埋め込み型二口用コンセントの裏面（背面）の状況の図面です。
【図５】：この図５は、１５Ａ（アンペア）２５０Ｖ（ボルト）管ヒューズの状況の図面です。
【図６】：この図６は、１５Ａ（アンペア）の管ヒューズを取り付けるための単五電池ボックスの状況の図面です。
【図７】：この図７は、単五電池ボックスに線の太さ１．６ｍｍのＶＡケーブル線を接続するために厚さ０．２〜０．４ｍｍ程度の薄い鋼板にネジを付け、端子にハンダ付けをして取付けた状況の図面です。
【図８】：この図８は、埋め込み型のコンセントを取付けるためのボックスの状況の図面です。
【図９】：この図９は、埋め込み型のコンセントを取付けるための枠の状況の図面です。
【図１０】：この図１０は、埋め込み型のコンセントの加工したプレートカバーの状況の図面です。
【図１１】：この図１１は、埋め込み型一口用コンセントに単五電池ボックスを取付け、ボックスの中に管ヒューズを設置し、線の太さ１．６ｍｍのＶＡケーブル線を配線接続をした状況の図面です。
【図１２】：この図１２は、埋め込み型一口用コンセントに単五電池ボックスを取付けボックスの中に管ヒューズを設置し，線の太さ１．６ｍｍのＶＡケーブル線を配線接続をした状況の図面です。
【図１】
0003211706.tif 000003
【図２】
0003211706.tif 000004
【図３】
0003211706.tif 000005
【図４】
0003211706.tif 000006
【図５】
0003211706.tif 000007
【図６】
0003211706.tif 000008
【図７】
0003211706.tif 000009
【図８】
0003211706.tif 000010
【図９】
0003211706.tif 000011
【図１０】
0003211706.tif 000012
【図１１】
0003211706.tif 000013
【図１２】
0003211706.tif 000014
【手続補正書】
【提出日】平成29年3月16日(2017.3.16)
【手続補正１】
【補正対象書類名】実用新案登録請求の範囲
【補正対象項目名】全文
【補正方法】変更
【補正の内容】
【実用新案登録請求の範囲】
【請求項１】
電源表示用のＬＥＤ灯付き、漏電による火災事故防止のための許容電流１５Ａ（アンペア）の埋め込み型コンセントの構造は、一般的な埋め込み型一口用コンセントもしくは一般的な埋め込み型二口用コンセントを活用した埋め込み型コンセント。
【請求項２】
電源表示用のＬＥＤ灯付き、許容電流１５Ａ（アンペア）の埋め込み型コンセントの構造は、のコンセントの裏面（背面）に単五電池ボックスを設置することを特徴とする請求項１記載の一般的な埋め込み型コンセント。
【請求項３】
電源表示用のＬＥＤ灯付き、許容電流１５Ａ（アンペア）の埋め込み型コンセントの構造は、単五電池ボックスの端子に線の太さ１．６ｍｍのＶＡケーブル線を接続するために厚さ０．２〜０．４ｍｍ程度の鋼板に接続するための加工をした端子を取付けたことを特徴とする請求項１記載の一般的な埋め込み型コンセント。
【請求項４】
電源表示用のＬＥＤ灯付き、許容電流１５Ａ（アンペア）の埋め込み型コンセントの構造は、単五電池ボックスの中に１５Ａ（アンペア）の管ヒューズを取付けたことを特徴とする請求項１記載の一般的な埋め込み型コンセント。
【請求項５】
電源表示用のＬＥＤ灯付き、許容電流１５Ａ（アンペア）埋め込み型コンセントの構造は、埋め込み型コンセントの裏面（背面）に管ヒューズを設置した単五電池ボックスを線の太さ直径１．６ｍｍのＶＡケーブル線を管ヒューズを通して配線し金属製の同コンセント枠の右側上部に電源表示用の赤色ＬＥＤ灯の直径２ｍｍ程度の穴を開けてここに赤色ＬＥＤを取付けさらにＬＥＤの二本線の内一本線に抵抗器５０ｋΩを通してこの中に絶縁用のビニールカバーを通し同コンセントの電源端子に接続してもう一本線は絶縁用のビニールカバーを通し直接同コンセントの電源端子に接続したことを特徴とする請求項１記載の一般的な埋め込み型コンセント。
【手続補正書】
【提出日】平成29年5月18日(2017.5.18)
【手続補正１】
【補正対象書類名】実用新案登録請求の範囲
【補正対象項目名】全文
【補正方法】変更
【補正の内容】
【実用新案登録請求の範囲】
【請求項１】
電源表示用のＬＥＤ灯付き、漏電による火災事故防止のための許容電流１５Ａ（アンペア）の埋め込み型コンセントの構造は、埋め込み型一口用コンセントもしくは埋め込み型二口用コンセントを活用し、コンセントの裏面（背面）に単五電池ボックスを設置することを特徴とする埋め込み型コンセント。
【請求項２】
電源表示用のＬＥＤ灯付き、許容電流１５Ａ（アンペア）の埋め込み型コンセントの構造は、のコンセントの裏面（背面）に単五電池ボックスを設置することを特徴とする請求項１記載の埋め込み型コンセント。
【請求項３】
電源表示用のＬＥＤ灯付き、許容電流１５Ａ（アンペア）の埋め込み型コンセントの構造は、単五電池ボックスの端子に線の太さ１．６ｍｍのＶＡケーブル線を接続するために厚さ０．２〜０．４ｍｍ程度の鋼板に接続するための加工をした端子を取付けたことを特徴とする請求項１記載の埋め込み型コンセント。
【請求項４】
電源表示用のＬＥＤ灯付き、許容電流１５Ａ（アンペア）の埋め込み型コンセントの構造は、単五電池ボックスの中に１５Ａ（アンペア）の管ヒューズを取付けたことを特徴とする請求項１記載の埋め込み型コンセント。
【請求項５】
電源表示用のＬＥＤ灯付き、許容電流１５Ａ（アンペア）埋め込み型コンセントの構造は、埋め込み型コンセントの裏面（背面）に管ヒューズを設置した単五電池ボックスを線の太さ直径１．６ｍｍのＶＡケーブル線を管ヒューズを通して配線し、金属製の同コンセント枠の右側上部に電源表示用の赤色ＬＥＤ灯の直径２ｍｍ程度の穴を開けてここに赤色ＬＥＤを取付け、さらにＬＥＤの二本線の内一本線に抵抗器５０ｋΩを通してこの中に絶縁用のビニールカバーを通し同コンセントの電源端子に接続して、もう一本線は絶縁用のビニールカバーを通し直接同コンセントの電源端子に接続したことを特徴とする請求項１記載の埋め込み型コンセント。